(57)【要約】【課題】器具本体の天井への埋め込み設置を容易かつ確実に実施することができる天井埋込型照明器具を提供すること。【解決手段】係合部材４を支持する支持部材３に、係合部材４を係止する係止部と、この係止部に連続して下方に向けて形成されたガイド溝とを設け、係合部材４に、支持部材４の係止部に係合可能な第１係合部４ａと、天井Ｔの裏面に係合可能な第２係合部４ｂとを形成する。係合部材４は、これを前記ガイド溝に沿って上昇させ、さらに上下方向の軸周りに第１の方向に回転させることにより、第１係合部４ａが前記係止部に係合し保持されて、第２係合部４ｂが天井Ｔの裏面と係合しない非係合状態となり、前記第１の方向と反対の第２の方向に回転させることにより、第１係合部４ａと前記係止部との係合が解除され、弾性部材５の付勢力で前記ガイド溝に沿って下降し、第２係合部４ｂが天井Ｔの裏面と係合する係合状態となる。【選択図】図１
2008258043.tif 000002
【特許請求の範囲】
【請求項１】
天井に形成した開口に埋め込まれて設置される天井埋込型照明器具であって、
天井に埋め込まれる器具本体と、この器具本体に設けられた支持部材と、この支持部材に上下方向に移動可能かつ上下方向の軸周りに回転可能に設けられた係合部材と、この係合部材を下方に付勢する弾性部材とを有し、
前記支持部材は、前記係合部材を係止する係止部と、この係止部に連続して下方に向けて形成されたガイド溝とを有し、
前記係合部材は、前記支持部材の係止部に係合可能な第１係合部と、天井の裏面に係合可能な第２係合部とを有し、
前記係合部材は、これを前記弾性部材の付勢力に抗して前記ガイド溝に沿って上昇させ、さらに上下方向の軸周りに第１の方向に回転させることにより、前記第１係合部が前記係止部に係合し保持されて、前記第２係合部が器具本体側に退避して天井の裏面と係合しない非係合状態となり、前記第１の方向と反対の第２の方向に回転させることにより、前記第１係合部と前記係止部との係合が解除され、前記弾性部材の付勢力で前記ガイド溝に沿って下降し、前記第２係合部が器具本体の外方に突出して天井の裏面と係合する係合状態となる天井埋込型照明器具。
【請求項２】
前記係合部材の回転および上昇操作を、器具本体の下部の開口部分から挿入する操作治具により実施可能とした請求項１に記載の天井埋込型照明器具。
【請求項３】
前記係合状態では前記第１係合部が前記ガイド溝内に位置し、前記第１係合部が前記ガイド溝と干渉することにより前記係合状態が維持される請求項１または請求項２に記載の天井埋込型照明器具。
【請求項４】
前記支持部材が器具本体と別体に設けられており、器具本体に対する前記支持部材の上下方向の設置位置が変更可能である請求項１から請求項３のいずれかに記載の天井埋込型照明器具。
【発明の詳細な説明】
【技術分野】
【０００１】
本発明は、天井に形成した開口に埋め込まれて設置されるダウンライト等の天井埋込型照明器具に関する。
【背景技術】
【０００２】
ダウンライト等の天井埋込型照明器具は、天井に形成した開口に下方から挿入され天井に埋め込み設置されるが、この埋め込み設置のために、従来、様々な設置構造が提案されている。
【０００３】
その代表的な設置構造は板バネを使用したもので、例えば特許文献１には、天井埋込型照明器具の器具本体の側面に「レ」字型の板バネを取り付け、この板バネを器具本体側に折り曲げつつ天井の開口に押し込み、その復元弾性力により器具本体を天井に係止固定する設置構造が開示されている。
【０００４】
しかし、このように板バネを使用した設置構造では、板バネのヘタリ等によって板バネの復元弾性力が低下すると、わずかな外力によってガタツキが生じたり、天井からの垂れ下がりあるいは落下が生じたりする問題がある。上記特許文献１の構造では、板バネの取り付け位置を変更可能とすることで、設置環境に応じて復元弾性力の大きさを適正に設定できるようにしているが、板バネを使用する構造である以上、上記問題を根本的に解消することはできない。また、この板バネを使用した設置構造において器具本体を天井から取り外すには、板バネの復元弾性力が作用した状態で器具本体を下方に引き抜く必要があるので、天井が破損するおそれがある。
【０００５】
これに対して、特許文献２には、係合部材（取付金具）を器具本体の側面に出没可能に取り付け、器具本体を天井に設置する際には、係合部材を器具本体から突出させて天井の裏面に係合させ、器具本体を着脱する際には、係合部材を退避させるようにした設置構造が開示されている。この特許文献２の設置構造によれば、器具本体を着脱する際に係合部材によって天井が破損することはなくなる。
【０００６】
しかし、特許文献２の設置構造では、作業者が係合部材を出没させる必要があり、その作業は、器具本体を天井に設置する際には、器具本体を天井の開口に挿入後、器具本体の内部側から行う必要がある。したがって、現実には、器具本体内に設置され電球や反射板を取り外した上で係合部材を外方に突出させ、その後再度、電球や反射板を取り付けるという作業が必要になる。設置後の器具本体を取り外す際にも同様の作業が必要となる。
【０００７】
このように特許文献２の設置構造では、器具本体を天井に着脱する際に極めて煩雑な作業が必要となり、その作業に多大な時間がかかるとともに、作業者の負担も大きくなる。さらに、器具本体の設置時に外方に突出させた係合部材の固定状態が振動等により緩むことがあり、先の板バネを使用した設置構造と同様に、ガタツキが生じたり、天井からの垂れ下がりあるいは落下が生じたりする問題がある。
【特許文献１】特開平４−６２７０９号公報
【特許文献２】特開平５−３６７０６号公報
【発明の開示】
【発明が解決しようとする課題】
【０００８】
本発明が解決しようとする課題は、器具本体の天井への埋め込み設置を容易に行うことができ、しかも器具本体を天井に確実に設置することができる天井埋込型照明器具を提供することにある。
【課題を解決するための手段】
【０００９】
本発明の天井埋込型照明器具は、天井に形成した開口に埋め込まれて設置される天井埋込型照明器具であって、天井に埋め込まれる器具本体と、この器具本体に設けられた支持部材と、この支持部材に上下方向に移動可能かつ上下方向の軸周りに回転可能に設けられた係合部材と、この係合部材を下方に付勢する弾性部材とを有する。また、前記支持部材は、前記係合部材を係止する係止部と、この係止部に連続して下方に向けて形成されたガイド溝とを有し、前記係合部材は、前記支持部材の係止部に係合可能な第１係合部と、天井の裏面に係合可能な第２係合部とを有する。そして、前記係合部材は、これを前記弾性部材の付勢力に抗して前記ガイド溝に沿って上昇させ、さらに上下方向の軸周りに第１の方向に回転させることにより、前記第１係合部が前記係止部に係合し保持されて、前記第２係合部が器具本体側に退避して天井の裏面と係合しない非係合状態となり、前記第１の方向と反対の第２の方向に回転させることにより、前記第１係合部と前記係止部との係合が解除され、前記弾性部材の付勢力で前記ガイド溝に沿って下降し、前記第２係合部が器具本体の外方に突出して天井の裏面と係合する係合状態となる。
【００１０】
本発明の天井埋込型照明器具は、このような構成を備えることで、予め係合部材を非係合状態とした上で、器具本体を天井の開口に挿入し、その後、係合部材を第２の方向に回転させるだけで、係合部材が係合状態になるので、器具本体の天井への埋め込み設置を容易に行うことができる。しかも、係合部材は係合状態において弾性部材によって常に下方に付勢されているので、係合状態を安定して維持することができ、器具本体を天井に確実に設置できて、器具本体のガタツキや天井からの垂れ下がりあるいは落下の発生を防止できる。
【００１１】
このように本発明では、係合部材を回転操作することにより、非係合状態から係合状態にするが、この係合部材の回転操作は、器具本体の下部の開口部分から挿入する操作治具により実施可能とすることが好ましい。これによって、器具本体の天井への埋め込み設置の作業性をより一層向上させることができる。また、係合部材を係合状態から非係合状態に戻すには、係合部材を上昇させてさらに回転させるが、この操作も器具本体の下部の開口部分から挿入する操作治具により実施可能とすることが好ましい。これによって、器具本体の取り外し作業も天井を破損することなく容易に行うことができる。
【００１２】
さらに、本発明では、係合部材が係合状態にあるとき、前記第１係合部が前記ガイド溝内に位置し、前記第１係合部が前記ガイド溝と干渉することにより前記係合状態が維持されるようにすることが好ましい。これによって、係合状態を確実に維持することができ、前記弾性部材による付勢力と相俟って、器具本体を天井により確実に設置できる。
【００１３】
また、本発明では、支持部材を器具本体と別体に設け、器具本体に対する支持部材の上下方向の設置位置を変更可能とすることが好ましい。これによって、天井の裏面と係合する第２係合部の上下方向の位置を施工現場の天井板の厚みに応じて調整することが可能となり、本発明の適用性が向上する。
【発明の効果】
【００１４】
本発明によれば、器具本体の天井への埋め込み設置を容易かつ確実に行うことができる。
【発明を実施するための最良の形態】
【００１５】
以下、図面に示す実施例に基づき本発明の実施の形態を説明する。
【００１６】
図１は、本発明の天井埋込型照明器具の使用状態を示す断面図である。同図に示すように、本発明の天井埋込型照明器具は、その器具本体１が天井Ｔに形成した開口Ｔ１から挿入されて天井Ｔに埋め込み設置されている。
【００１７】
器具本体１は、その内部に笠状の反射板２を備えており、この反射板２の内部に図示しない電球が配置されている。また、器具本体１の側板１ａには、支持部材３が設けられており、その上下の支持部３ａ，３ａに係合部材４が上下方向に移動可能かつ上下方向の軸周りに回転可能に取り付けられている。そして、この係合部材４の下端の第２係合部４ｂが天井Ｔの裏面に係合することにより、器具本体１が天井Ｔに埋め込まれた状態で保持される。また、係合部材４の下側には弾性部材としてコイルバネ５が装着されている。このコイルバネ５の上端は支持部材３の下側の支持部３ａに当接させ、下端は係合部材４のバネ止め部４ｃに係止させている。これによって、係合部材４はコイルバネ５によって下方に付勢されるようになっている。このような支持部材３および係合部材４の組み合わせが、器具本体１の側面に等間隔で３箇所に設けられている。
【００１８】
図２および図３は、支持部材３および係合部材４の詳細を示す。図２は、係合部材４の第２係合部４ｂが器具本体１側に退避した非係合状態を示し、図３は、係合部材４の第２係合部４ｂが器具本体１の外方に突出した係合状態を示す。また、図２および図３において、それぞれ（ａ）は正面図、（ｂ）は側面図である。
【００１９】
支持部材３は器具本体１と別体に設けられており、器具本体１の側板１ａに形成した複数段の装着孔１ｂのうち所定の装着孔１ｂを選択し、ビス６を使用して器具本体１の側板１ａに取り付けられている。この支持部材３は、係合部材４の第１係合部４ａを係止する係止部３ｂと、この係止部３ｂに連続して下方に向けて形成されたガイド溝３ｃとを有し、係止部３ｂとガイド溝３ｃとの境界部分であるコーナー部はＲ形状とされている。
【００２０】
支持部材３は金属棒等の剛性体からなり、上述のとおり、支持部材の支持部３ａ，３ａに、上下方向に移動可能かつ上下方向の軸周りに回転可能に取り付けられている。また、支持部材３には、その途中をＵ字状に屈曲させることにより、支持部材３の係止部３ｂに係合可能な第１係合部４ａが形成され、下端部には、図１で説明したように天井Ｔの裏面と係合可能な第２係合部４ｂが形成されている。
【００２１】
以上の構成において、器具本体１を天井Ｔに埋め込み設置する際には、予め係合部材４を図２に示す非係合状態とする。係合部材４を非係合状態にするには、係合部材４をコイルバネ５の付勢力に抗してガイド溝３ｂに沿って上昇させ、さらに上下方向の軸周りに第１の方向（実施例では反時計周り方向）に回転させることにより、第１係合部４ａを支持部材３の係止部３ｂに係合させ保持する。この非係合状態では係合部材４の第２係合部４ｂが器具本体１側に退避して天井Ｔの裏面と係合することはないので、器具本体１を天井Ｔの開口Ｔ１から天井裏面側に挿入可能である。実施例では、器具本体１の側板１ａに複数段の切欠き１ｃを設け、この切欠き１ｃ部分に係合部材４の第２係合部４ｂを退避させるようにしている。
【００２２】
器具本体１を天井Ｔの開口Ｔ１から天井裏面側に挿入し所定の位置に設置した後、係合部材４を前記第１の方向とは反対の第２の方向に回転させる。これにより、係合部材４の第１係合部４ａと支持部材３の係止部３ｂとの係合が解除され、係合部材４がコイルバネ５の付勢力でガイド溝３ｃに沿って下降し、ガイド溝３ｃの下端部で停止する。これによって、図１に示すように、係合部材４の第２係合部４ｂが器具本体１の外方に突出して天井Ｔの裏面と係合する係合状態となる。すなわち、図２および図３に示すように、係合部材４の上下方向の軸線位置（支持部材３の上下の支持部３ａ，３ａの位置）が、係止部３ｂとガイド溝３ｃとの境界部分であるＲ状のコーナー部に対応する位置にあるので、係合部材４を第２の方向に回転させるだけで、コイルバネ５の付勢力により、第１係合部４ａが係止部３ｂからコーナー部を経由してガイド溝３ｃに至り、係合状態となる。
【００２３】
この係合状態では、図３に示すように、係合部材４の第１係合部４ａはガイド溝３ｃ内に位置し、第１係合部４ａがガイド溝３ｃと干渉することにより係合部材４は上下方向の軸周りには回転不能となり、係合状態が確実に維持される。
【００２４】
上述のとおり、係合部材４を非係合状態から係合状態にするには、係合部材４を第２の方向に回転させる必要があるが、本実施例では、器具本体１の側板１ａと反射板２外周面との間の隙間Ｓ（図１参照）から、例えばへら状の操作治具を挿入し、この操作治具を使用して係合部材４の第１係合部４ａを操作して第２の方向に回転させることができるようにしている。これによって、器具本体１を天井Ｔの開口Ｔ１から天井裏面側に挿入した状態で、容易に係合部材４を係合状態にすることができる。さらに、本実施例では、３箇所に取り付けている係合部材４の第１係合部４ａの向きを揃えているので、前記のへら状の操作治具を一方向に移動させるだけですべての係合部材４を係合状態にすることができる。
【００２５】
また、係合部材４を係合状態から非係合状態に戻すには、係合部材４をコイルバネ５の付勢力に抗してガイド溝３ｃに沿って上昇させ、さらに第１の方向に回転させるが、本実施例では、図１に示すように、器具本体１の下部フランジ部１ｄに操作口１ｅを設け、この操作口１ｅから例えば棒状の操作治具を挿入し、この操作治具によって係合部材４の第２係合部４ｂを下方から挟持して、上昇および回転操作を行い、非係合状態に戻すことができるようにしている。これによって、器具本体１の取り外し作業も天井Ｔを破損することなく容易に行うことができる。
【００２６】
さらに、本実施例では、上述のとおり、支持部材３を器具本体１に取り付けるための装着孔１ｂを上下に複数段形成しているので、使用する装着孔１ｂを選択することにより、器具本体１に対する支持部材３の上下方向の設置位置、すなわち係合部材４の上下方向の設置位置が変更可能である。これによって、天井Ｔの裏面と係合する第２係合部４ｂの上下方向の位置を施工現場の天井板の厚みに応じて調整することが可能となる。例えば、天井板の厚みが図１の天井Ｔの天井板よりも厚い場合には、上側の装着孔１ｂを選択して支持部材３を器具本体１に対して取り付けるようにする。なお、係合部材４を非係合状態にしたときに、第２係合部４ｂを退避させる位置となる切欠き１ｃも、係合部材４の設置位置に合わせて上下方向に複数段設けているので、係合部材４の上下方向の設置位置を変えても問題が生じることはない。
【図面の簡単な説明】
【００２７】
【図１】本発明の天井埋込型照明器具の使用状態を示す断面図である。
【図２】図１の天井埋込型照明器具において係合部材が非係合状態にあるときの詳細を示し、（ａ）は正面図、（ｂ）は側面図である。
【図３】図１の天井埋込型照明器具において係合部材が係合状態にあるときの詳細を示し、（ａ）は正面図、（ｂ）は側面図である。
【符号の説明】
【００２８】
１  器具本体
１ａ  側板
１ｂ  装着孔
１ｃ  切欠き
１ｄ  下部フランジ部
１ｅ  操作口
２  反射板
３  支持部材
３ａ  支持部
３ｂ  係止部
３ｃ  ガイド溝
４  係合部材
４ａ  第１係合部
４ｂ  第２係合部
４ｃ  バネ止め部
５  コイルバネ（弾性部材）
６  ビス
【図１】
2008258043.tif 000003
【図２】
2008258043.tif 000004
【図３】
2008258043.tif 000005
【手続補正書】
【提出日】平成19年7月17日(2007.7.17)
【手続補正１】
【補正対象書類名】特許請求の範囲
【補正対象項目名】全文
【補正方法】変更
【補正の内容】
【特許請求の範囲】
【請求項１】
天井に形成した開口に埋め込まれて設置される天井埋込型照明器具であって、
天井に埋め込まれる器具本体と、この器具本体に設けられた支持部材と、この支持部材に上下方向に移動可能かつ上下方向の軸周りに回転可能に設けられた係合部材と、この係合部材を下方に付勢する弾性部材とを有し、
前記支持部材は、前記器具本体と別体の一枚物の板材からなり、この板材に、前記係合部材を係止する係止部と、この係止部に連続して下方に向けて形成されたガイド溝とが形成されたものであって、前記器具本体に対する前記支持部材の上下方向の設置位置が変更可能であり、
前記係合部材は、一本の棒材からなり、この棒材の途中をＵ字状に屈曲させることにより前記支持部材の係止部に係合可能な第１係合部が形成されるとともに、前記棒材の先端を屈曲させることにより天井の裏面に係合可能な第２係合部が形成されたものであり、
前記係合部材は、これを前記弾性部材の付勢力に抗して前記ガイド溝に沿って上昇させ、さらに上下方向の軸周りに第１の方向に回転させることにより、前記第１係合部が前記係止部に係合し保持されて、前記第２係合部が器具本体側に退避して天井の裏面と係合しない非係合状態となり、前記第１の方向と反対の第２の方向に回転させることにより、前記第１係合部と前記係止部との係合が解除され、前記弾性部材の付勢力で前記ガイド溝に沿って下降し、前記第２係合部が器具本体の外方に突出して天井の裏面と係合する係合状態となり、この係合状態では前記第１係合部が前記ガイド溝内に位置し、前記第１係合部が前記ガイド溝と干渉することにより前記係合状態が維持される天井埋込型照明器具。
【手続補正２】
【補正対象書類名】明細書
【補正対象項目名】０００９
【補正方法】変更
【補正の内容】
【０００９】
本発明の天井埋込型照明器具は、天井に形成した開口に埋め込まれて設置される天井埋込型照明器具であって、天井に埋め込まれる器具本体と、この器具本体に設けられた支持部材と、この支持部材に上下方向に移動可能かつ上下方向の軸周りに回転可能に設けられた係合部材と、この係合部材を下方に付勢する弾性部材とを有し、前記支持部材は、前記器具本体と別体の一枚物の板材からなり、この板材に、前記係合部材を係止する係止部と、この係止部に連続して下方に向けて形成されたガイド溝とが形成されたものであって、前記器具本体に対する前記支持部材の上下方向の設置位置が変更可能であり、前記係合部材は、一本の棒材からなり、この棒材の途中をＵ字状に屈曲させることにより前記支持部材の係止部に係合可能な第１係合部が形成されるとともに、前記棒材の先端を屈曲させることにより天井の裏面に係合可能な第２係合部が形成されたものであり、前記係合部材は、これを前記弾性部材の付勢力に抗して前記ガイド溝に沿って上昇させ、さらに上下方向の軸周りに第１の方向に回転させることにより、前記第１係合部が前記係止部に係合し保持されて、前記第２係合部が器具本体側に退避して天井の裏面と係合しない非係合状態となり、前記第１の方向と反対の第２の方向に回転させることにより、前記第１係合部と前記係止部との係合が解除され、前記弾性部材の付勢力で前記ガイド溝に沿って下降し、前記第２係合部が器具本体の外方に突出して天井の裏面と係合する係合状態となり、この係合状態では前記第１係合部が前記ガイド溝内に位置し、前記第１係合部が前記ガイド溝と干渉することにより前記係合状態が維持される。
【手続補正３】
【補正対象書類名】明細書
【補正対象項目名】００１２
【補正方法】変更
【補正の内容】
【００１２】
さらに、本発明では、係合部材が係合状態にあるとき、前記第１係合部が前記ガイド溝内に位置し、前記第１係合部が前記ガイド溝と干渉することにより前記係合状態が維持されるようにする。これによって、係合状態を確実に維持することができ、前記弾性部材による付勢力と相俟って、器具本体を天井により確実に設置できる。
【手続補正４】
【補正対象書類名】明細書
【補正対象項目名】００１３
【補正方法】変更
【補正の内容】
【００１３】
また、本発明では、支持部材を器具本体と別体に設け、器具本体に対する支持部材の上下方向の設置位置を変更可能とする。これによって、天井の裏面と係合する第２係合部の上下方向の位置を施工現場の天井板の厚みに応じて調整することが可能となり、本発明の適用性が向上する。
【手続補正５】
【補正対象書類名】明細書
【補正対象項目名】００２０
【補正方法】変更
【補正の内容】
【００２０】
係合部材４は金属棒等の剛性体からなり、上述のとおり、支持部材の支持部３ａ，３ａに、上下方向に移動可能かつ上下方向の軸周りに回転可能に取り付けられている。また、係合部材４には、その途中をＵ字状に屈曲させることにより、支持部材３の係止部３ｂに係合可能な第１係合部４ａが形成され、下端部には、図１で説明したように天井Ｔの裏面と係合可能な第２係合部４ｂが形成されている。